(57)【要約】【課題】輪郭強調処理やノイズ除去処理における画素値補正の自由度を高くすることのできる画像処理回路を提供する。【解決手段】実施形態の画像処理回路は、マトリックス表示されるデジタル映像信号の画素ごとに、輪郭強調値生成部１００により生成された、注目画素を中心とした水平方向、垂直方向、左上がり斜め方向および右上がり斜め方向の輪郭強調値を用いて輪郭強調処理を行う画像処理回路であって、輪郭強調実行制御部１が、輪郭強調の方向ごとに、輪郭強調を実行するかしないかの切り替えを行い、輪郭強調強度調整部２が、輪郭強調実行時の輪郭強調の強度を調整する。【選択図】  図１
2012222713.tif 000002
【特許請求の範囲】
【請求項１】
マトリックス表示されるデジタル映像信号の画素ごとに、注目画素を中心とした水平方向、垂直方向、左上がり斜め方向および右上がり斜め方向の輪郭強調値をそれぞれ生成して輪郭強調処理を行う画像処理回路であって、
輪郭強調の方向ごとに、輪郭強調を実行するかしないかの切り替えを行う輪郭強調実行制御部と、
輪郭強調実行時の輪郭強調の強度を調整する輪郭強調強度調整部と
を備えることを特徴とする画像処理回路。
【請求項２】
前記輪郭強調実行制御部が、
前記切り替えに応じて、入力された輪郭強調値を出力するか、値０を出力するか、を切り替えるスイッチを有する
ことを特徴とする請求項１２に記載の画像処理回路。
【請求項３】
前記輪郭強調強度調整部が、
輪郭強調の方向ごとに前記輪郭強調の強度を調整する
ことを特徴とする請求項１または２に記載の画像処理回路。
【請求項４】
マトリックス表示されるデジタル映像信号の画素ごとに、注目画素を中心とした水平方向、垂直方向、左上がり斜め方向および右上がり斜め方向の輪郭強調値をそれぞれ生成し、その合計値の絶対値が所定の閾値よりも大きいときは輪郭強調処理を行い、前記絶対値が前記閾値以下のときはノイズ低減処理を行う画像処理回路であって、
前記輪郭強調処理を実行するかしないかの切り替えを行う輪郭強調実行制御部と、
前記ノイズ低減処理を実行するかしないかの切り替えを行うノイズ低減実行制御部と、
輪郭強調実行時の輪郭強調の強度を調整する輪郭強調強度調整部と、
ノイズ低減実行時のノイズ低減の強度を調整するノイズ低減強度調整部と
を備えることを特徴とする画像処理回路。
【請求項５】
前記注目画素への加算用に生成された加算用輪郭強調値の絶対値を算出する絶対値化回路と、
前記絶対値化回路の出力値から予め定められた所定の値を減算する減算器と、
前記減算器の出力値が負のときは前記加算用輪郭強調値の値を０に補正する輪郭強調値補正部と
をさらに備えることを特徴とする請求項４に記載の画像処理回路。
【発明の詳細な説明】
【技術分野】
【０００１】
本発明の実施形態は、画像処理回路に関する。
【背景技術】
【０００２】
近年、デジタルカメラ、デジタルビデオカメラ、カメラ付き携帯電話などをはじめ、様々な電子機器で画像を撮影できるようになっている。また、携帯型機器で、ワンセグ放送の受信も可能となっている。これらの機器で撮影あるいは受信された画像をそのまま表示すると、輪郭の不鮮明な画像やノイズの含まれた画像が表示されることが多い。そこで、入力画像データに対して、表示図像の輪郭を強調する処理や、ノイズを除去する処理などの画像処理が行われる。
【０００３】
従来、このような画像処理を行う回路では、入力画像データの画素ごとに、処理対象の注目画素の画素値に対して、その注目画素を中心とする垂直方向、水平方向、斜め方向の画素列ごとに、その画素列に含まれる各画素の画素値との差分値を算出し、その差分値をフィルタ処理した輪郭強調値により、注目画素の画素値を補正することが行われている。
【０００４】
このとき、各画素列のフィルタから出力された輪郭強調値を合計した値の絶対値が予め定めた閾値よりも大きければ、注目画素の画素値に輪郭強調値を加算する輪郭強調処理が行われる。この輪郭強調処理により、注目画素の輪郭が、垂直方向、水平方向および斜め方向に強調される。また、上述の絶対値が閾値以下のときは、注目画素の画素値から輪郭強調値を減算するノイズ除去処理が行われる。その際、フィルタ処理のゲイン係数を調整することにより、輪郭強調およびノイズ除去の強度を変えることができる。
【０００５】
しかし、従来の画像処理回路では、輪郭強調とノイズ除去に共通のゲインがかかるため、輪郭強調とノイズ除去のいずれか一方だけ強度を変えることができない、という問題があった。
【０００６】
また、輪郭強調が垂直方向、水平方向、斜め方向に一律に行われるため、例えば、特定の方向にのみ輪郭強調を行いたいという要求に応えられない、という問題があった。
【０００７】
さらに、輪郭強調とノイズ除去を切り替える閾値が一点であるため、例えば動画像の同じ表示位置の画素に時間的なノイズが加わるような場合、フィルタ出力の合計値が閾値を挟んで短時間で上下し、輪郭強調とノイズ除去が交互に行われることがある。そのような場合、映像を表示したときのある点の画素値の変化が激しく、例えば、表示映像がチラついて見える、などの問題が生じていた。
【先行技術文献】
【特許文献】
【０００８】
【特許文献１】特開２０１０−２７８９２９号公報
【発明の概要】
【発明が解決しようとする課題】
【０００９】
そこで、本発明が解決しようとする課題は、輪郭強調処理やノイズ除去処理における画素値補正の自由度を高くすることのできる画像処理回路を提供することにある。
【課題を解決するための手段】
【００１０】
実施形態の画像処理回路は、マトリックス表示されるデジタル映像信号の画素ごとに、注目画素を中心とした水平方向、垂直方向、左上がり斜め方向および右上がり斜め方向の輪郭強調値をそれぞれ生成して輪郭強調処理を行う画像処理回路であって、輪郭強調実行制御部が、輪郭強調の方向ごとに、輪郭強調を実行するかしないかの切り替えを行い、輪郭強調強度調整部が、輪郭強調実行時の輪郭強調の強度を調整する。
【図面の簡単な説明】
【００１１】
【図１】本発明の第１の実施形態に係る画像処理回路の構成の例を示す回路図。
【図２】フィルタ演算回路の構成例および入力先のタップの組み合わせを示す図。
【図３】本発明の第１の実施形態に係る画像処理回路における画像処理の例を示す図。
【図４】本発明の第２の実施形態に係る画像処理回路の構成の例を示す回路図。
【図５】本発明の第２の実施形態に係る画像処理回路における輪郭強調値生成動作の説明図。
【図６】本発明の第２の実施形態に係る画像処理回路において生成される輪郭強調値の例を示す図。
【図７】本発明の第３の実施形態に係る画像処理回路の構成の例を示す回路図。
【図８】本発明の第３の実施形態に係る画像処理回路における輪郭強調値生成動作の説明図。
【発明を実施するための形態】
【００１２】
以下、本発明の実施の形態について図面を参照して説明する。なお、図中、同一または相当部分には同一の符号を付して、その説明は繰り返さない。
【００１３】
（第１の実施形態）
図１は、本発明の第１の実施形態に係る画像処理回路の構成の例を示す回路図である。本実施形態の画像処理回路は、マトリックス表示されるデジタル映像信号Ｖｉｎの画素ごとに輪郭強調値生成部１００により生成される、注目画素を中心とした水平方向輪郭強調値Ｈ１、垂直方向輪郭強調値Ｈ２、左上がり斜め方向輪郭強調値Ｈ３および右上がり斜め方向輪郭強調値Ｈ４を用いて、注目画素に対する輪郭強調処理を行う回路である。
【００１４】
ここで、輪郭強調値生成部１００は、デジタル映像信号Ｖｉｎの１ライン分の画素データを順次格納するラインメモリＬＭ１〜ＬＭ４と、デジタル映像信号ＶｉｎおよびラインメモリＬＭ１〜ＬＭ４の出力を順次シフト遅延させて格納するタップ付き遅延回路部１１０と、タップ付き遅延回路部１１０のタップから出力された画素データに対するフィルタ演算処理を行うフィルタ演算回路ＦＣ１〜ＦＣ４と、を有する。
【００１５】
本実施形態では、タップ付き遅延回路部１１０は、１ライン当たり５画素の画素データを５ライン分格納するレジスタにより構成されるものとする。
【００１６】
デジタル映像信号Ｖｉｎの画素データを格納するレジスタＡ０〜Ａ４、ラインメモリＬＭ１の画素データを格納するレジスタＢ０〜Ｂ４、ラインメモリＬＭ２の画素データを格納するレジスタＣ０〜Ｃ４、ラインメモリＬＭ３の画素データを格納するレジスタＤ０〜Ｄ４、ラインメモリＬＭ３の画素データを格納するレジスタＥ０〜Ｅ４は、それぞれシフトレジスタを構成する。各レジスタは、格納した画素データを出力するタップを有する。
【００１７】
このように、タップ付き遅延回路部１１０は、５×５のマトリックス状にレジスタが配置されるので、その中心に配置されるレジスタＣ２に格納される画素が、輪郭強調処理の実行対象となる注目画素となる。
【００１８】
このレジスタＣ２を中心として、水平方向、垂直方向、左上がり斜め方向および右上がり斜め方向に配列されたレジスタのタップ出力が、それぞれフィルタ演算回路ＦＣ１、ＦＣ２、ＦＣ３およびＦＣ４へ入力される。
【００１９】
図２（ａ）に、フィルタ演算回路ＦＣの回路構成の例を示す。
【００２０】
フィルタ演算回路ＦＣは、減算器Ｓ０１〜Ｓ０４、乗算器Ｍ０１〜Ｍ０４、加算器Ａ０１を有しており、タップ付き遅延回路部１１０のタップＴ１〜Ｔ５から出力される画素値Ｔ１〜Ｔ５に対して、フィルタ係数α１、α２（ただし、０＜（α１、α２）＜１、α１＞α２）を用いて、
Ｈ＝α２（Ｔ３−Ｔ１）＋α１（Ｔ３−Ｔ２）＋α１（Ｔ３−Ｔ４）＋α２（Ｔ３−Ｔ５）
と表されるフィルタ演算を行い、タップＴ３の画素値に対する輪郭強調値Ｈを出力する。
【００２１】
図２（ｂ）に、輪郭強調値算出方向と、タップＴ１〜Ｔ５としてフィルタ演算回路ＦＣへ入力されるタップ付き遅延回路部１１０のレジスタとの関係を示す。
【００２２】
これにより、フィルタ演算回路ＦＣ１は、レジスタＣ０、Ｃ１、Ｃ２、Ｃ３、Ｃ４に格納された画素値にもとづいて水平方向輪郭強調値Ｈ１を生成し、フィルタ演算回路ＦＣ２は、レジスタＡ２、Ｂ２、Ｃ２、Ｄ２、Ｅ２に格納された画素値にもとづいて垂直方向輪郭強調値Ｈ２を生成し、フィルタ演算回路ＦＣ３は、レジスタＡ０、Ｂ１、Ｃ２、Ｄ３、Ｅ４に格納された画素値にもとづいて左上がり斜め方向輪郭強調値Ｈ３を生成し、フィルタ演算回路ＦＣ４は、レジスタＡ４、Ｂ３、Ｃ２、Ｄ１、Ｅ０に格納された画素値にもとづいて右上がり斜め方向輪郭強調値Ｈ４を生成する。
【００２３】
図１に戻って、本実施形態の画像処理回路は、輪郭強調の方向ごとに、輪郭強調を実行するかしないかの切り替えを行う輪郭強調実行制御部１と、輪郭強調実行時の輪郭強調の強度を調整する輪郭強調強度調整部２と、を備える。
【００２４】
輪郭強調実行制御部１は、入力された輪郭強調値を出力するか、値０を出力するかを切り替えるスイッチＳＷ１〜ＳＷ４を備える。
【００２５】
すなわち、スイッチＳＷ１は、輪郭強調を実行するときは入力された水平方向輪郭強調値Ｈ１を出力し、輪郭強調を実行しないときは値０を出力するよう、その出力値が切り替えられる。同様に、スイッチＳＷ２、ＳＷ３、ＳＷ４は、輪郭強調を実行するときは入力された垂直方向輪郭強調値Ｈ２、左上がり斜め方向輪郭強調値Ｈ３、右上がり斜め方向輪郭強調値Ｈ４を出力し、輪郭強調を実行しないときは値０を出力するよう、その出力値がそれぞれ切り替えられる。
【００２６】
このスイッチＳＷ１〜ＳＷ４の切り替えはそれぞれ独立して行われるので、輪郭強調の方向ごとに、輪郭強調値として、輪郭強調値生成部１００で生成された値を出力するか、値０を出力するかの切り替えが可能である。
【００２７】
輪郭強調強度調整部２は、輪郭強調実行制御部１から出力された輪郭強調値の大きさを変えるゲイン回路ＧＣ１〜ＧＣ４を備える。
【００２８】
ゲイン回路ＧＣ１は、ゲイン係数がＧ１であり、輪郭強調実行制御部１のスイッチＳＷ１を介して入力される水平方向輪郭強調値Ｈ１の大きさをＧ１倍する。同様に、ゲイン係数Ｇ２のゲイン回路ＧＣ２は、垂直方向輪郭強調値Ｈ２の大きさをＧ２倍し、ゲイン係数Ｇ３のゲイン回路ＧＣ３は、左上がり斜め方向輪郭強調値Ｈ３の大きさをＧ３倍し、ゲイン係数Ｇ４のゲイン回路ＧＣ４は、右上がり斜め方向輪郭強調値Ｈ４の大きさをＧ４倍する。
【００２９】
ゲイン係数Ｇ１〜Ｇ４を変化させると、ゲイン回路ＧＣ１〜ＧＣ４から出力される値が変化し、注目画素に対してどの程度輪郭強調を行うか、という輪郭強調の強度を変化させることができる。
【００３０】
また、ゲイン係数Ｇ１〜Ｇ４を、それぞれ独立して変化させることで、輪郭強調の方向ごとに、輪郭強調の強度を調整することが可能である。
【００３１】
このゲイン回路ＧＣ１〜ＧＣ４の出力は、加算器ＡＤＤ１で加算され、その加算値ＧＨが、加算器ＡＤＤ２へ入力される。加算器ＡＤＤ２は、レジスタＣ２に格納されている注目画素の画素値Ｃ２に加算器ＡＤＤ１の出力ＧＨを加算し、輪郭強調処理された画素値ＨＣ２を出力する。
【００３２】
図３に、本実施形態における輪郭強調処理の例を示す。ここでは、図３（ａ）に示す原画像に対して、１方向だけの輪郭強調処理を行ったときの処理結果を示す。ここで、図３（ａ）に示す原画像は、中央の３画素の輝度値が、周囲の画素の輝度値よりも小さいものとする。
【００３３】
この原画像に対して、図３（ｂ１）に示すように、水平方向輪郭強調値Ｈ１のみが出力されるよう輪郭強調実行制御部１のＳＷ１〜ＳＷ４を制御すると、図３（ｂ２）に示すような画像が得られる。この場合、中央の３画素の輝度値は、原画像より小さくなり、その水平方向に隣接する画素の輝度値が、原画像より大きくなる。したがって、中央の３画素とその水平方向に隣接する画素との輝度値の差は原画像よりも大きくなり、中央の３画素の輪郭が、水平方向にのみ強調される。
【００３４】
次に、図３（ｃ１）に示すように、垂直方向輪郭強調値Ｈ２のみが出力されるよう輪郭強調実行制御部１のＳＷ１〜ＳＷ４を制御すると、図３（ｃ２）に示すような画像が得られる。この場合、中央の３画素の輝度値は原画像より小さくなるが、その上端、下端ほど輝度値がより小さくなる。また、中央の３画素に対して垂直方向に隣接する画素の輝度値が、原画像より大きくなる。したがって、中央の３画素とその垂直方向に隣接する画素との輝度値の差は原画像よりも大きくなり、中央の３画素の輪郭が、垂直方向にのみ強調される。
【００３５】
次に、図３（ｄ１）に示すように、左上がり斜め方向輪郭強調値Ｈ３のみが出力されるよう輪郭強調実行制御部１のＳＷ１〜ＳＷ４を制御すると、図３（ｄ２）に示すような画像が得られる。この場合、中央の３画素の輪郭が、左上がり斜め方向にのみ強調される。
【００３６】
また、図３（ｅ１）に示すように、右上がり斜め方向輪郭強調値Ｈ４のみが出力されるよう輪郭強調実行制御部１のＳＷ１〜ＳＷ４を制御すると、図３（ｅ２）に示すような画像が得られる。この場合、中央の３画素の輪郭が、右上がり斜め方向にのみ強調される。
【００３７】
このように、輪郭強調実行制御部１の制御により、注目画素に対して、任意の方向にのみ輪郭を強調することができる。
【００３８】
また、それぞれの方向の輪郭強調に対して、輪郭強調強度調整部２のゲイン係数Ｇ１〜Ｇ４をそれぞれ独立して変化させることで、輪郭強調の方向ごとに、輪郭強調の強度を調整することができる。
【００３９】
すなわち、このような本実施形態によれば、輪郭強調処理における画素値補正の自由度を高くすることができる。
【００４０】
（第２の実施形態）
図４は、本発明の第２の実施形態に係る画像処理回路の構成の例を示す回路図である。本実施形態の画像処理回路は、基本的に、輪郭強調値生成部１００により生成される、水平方向、垂直方向、左上がり斜め方向および右上がり斜め方向の輪郭強調値の合計値の絶対値が所定の閾値よりも大きいときは輪郭強調処理を行い、その絶対値が閾値以下のときはノイズ低減処理を行う回路である。
【００４１】
この輪郭強調処理とノイズ低減処理の切り替えのために、本実施形態の画像処理回路は、輪郭強調値生成部１００から出力される、水平方向輪郭強調値Ｈ１、垂直方向輪郭強調値Ｈ２、左上がり斜め方向輪郭強調値Ｈ３および右上がり斜め方向輪郭強調値Ｈ４を加算する加算器ＡＤＤ１００と、加算器ＡＤＤ１００の出力を絶対値化する絶対値化回路２００と、絶対値化回路２００の出力である絶対値Ａを所定の閾値Ｔと比較する比較器３００と、比較器３００の出力Ｓ１がＡ＞Ｔ１を示すときは加算器ＡＤＤ１００の出力を輪郭強調処理用輪郭強調値生成部５００へ出力し、比較器３００の出力Ｓ１がＡ≦Ｔ１を示すときは加算器ＡＤＤ１００の出力をノイズ低減処理用輪郭強調値生成部６００へ出力する切り替え回路４００と、輪郭強調処理用輪郭強調値生成部５００の出力またはノイズ低減処理用輪郭強調値生成部６００の出力を注目画素の画素値Ｃ２に加算する加算器ＡＤＤ２を備える。
【００４２】
本実施形態では、切り替え回路４００と輪郭強調処理用輪郭強調値生成部５００との間に、輪郭強調処理を実行するかしないかの切り替えを行う輪郭強調実行制御部１１と、輪郭強調実行時の輪郭強調の強度を調整する輪郭強調強度調整部１２とが挿入され、切り替え回路４００とノイズ低減処理用輪郭強調値生成部６００との間に、ノイズ低減処理を実行するかしないかの切り替えを行うノイズ低減実行制御部２１と、ノイズ低減実行時のノイズ低減の強度を調整するノイズ低減強度調整部２２とが挿入される。
【００４３】
輪郭強調実行制御部１１は、入力された輪郭強調値を出力するか、値０を出力するかを切り替えるスイッチＳＷ１１を備える。スイッチＳＷ１１は、輪郭強調を実行するときは入力された輪郭強調値を出力し、輪郭強調を実行しないときは値０を出力するよう、その出力値が切り替えられる。
【００４４】
輪郭強調強度調整部１２は、輪郭強調実行制御部１１から出力された輪郭強調値の大きさを変化させるゲイン回路ＧＣ１２を備える。ゲイン回路ＧＣ１２は、ゲイン係数がＧ１２であり、輪郭強調実行制御部１１のスイッチＳＷ１１を介して入力される輪郭強調値の大きさをＧ１２倍する。
【００４５】
ノイズ低減実行制御部２１は、入力された輪郭強調値を出力するか、値０を出力するかを切り替えるスイッチＳＷ２１を備える。スイッチＳＷ２１は、輪郭強調を実行するときは入力された輪郭強調値を出力し、輪郭強調を実行しないときは値０を出力するよう、その出力値が切り替えられる。
【００４６】
ノイズ低減強度調整部２２は、ノイズ低減実行制御部２１から出力された輪郭強調値の大きさを変化させるゲイン回路ＧＣ２２を備える。ゲイン回路ＧＣ２２は、ゲイン係数がＧ２２であり、ノイズ低減実行制御部２１のスイッチＳＷ２１を介して入力される輪郭強調値の大きさをＧ２２倍する。
【００４７】
次に、本実施形態の動作について説明する。ここでは、先ず、スイッチＳＷ１１、スイッチＳＷ２１が、ともに入力された輪郭強調値を出力するよう切り替えられ、ゲイン回路ＧＣ１２のゲイン係数Ｇ１２、ゲイン回路ＧＣ２２のゲイン係数Ｇ２２が、ともに‘１’であるとして、本実施形態の基本的な動作について、図５を用いて説明する。
【００４８】
図５（ａ）に示すように、絶対値化回路２００は、加算器ＡＤＤ１００の出力値（ＡＤＤ１００）を絶対値化して、絶対値Ａを出力する。比較器３００は、この絶対値Ａを所定の閾値Ｔと比較する。
【００４９】
切り替え回路４００は、比較器３００の出力Ｓ１がＡ＞Ｔ１を示すときはＡＤＤ１００を輪郭強調処理用輪郭強調値生成部５００へ出力し、比較器３００の出力Ｓ１がＡ≦Ｔ１を示すときはＡＤＤ１００をノイズ低減処理用輪郭強調値生成部６００へ出力する。
【００５０】
この絶対値Ａと閾値Ｔの関係を、ＡＤＤ１００と閾値Ｔの関係に置き直せば、−Ｔ≦ＡＤＤ１００≦Ｔのとき、加算器ＡＤＤ１００の出力値ＡＤＤ１００は、ノイズ低減処理用輪郭強調値生成部６００へ入力されることになる。
【００５１】
図５（ｂ）に、ノイズ低減処理用輪郭強調値生成部６００の動作を示す。ノイズ低減処理用輪郭強調値生成部６００は、入力された−ＴからＴの範囲のＡＤＤ１００の極性を反転させた値を生成する。極性を反転させることにより、加算器ＡＤＤ２では注目画素の画素値Ｃ２からＡＤＤ１００の値が減算され、注目画素と周囲の画素との画素値の差が小さくなる。
【００５２】
一方、ＡＤＤ１００＜−ＴあるいはＡＤＤ１００＞Ｔのときは、加算器ＡＤＤ１００の出力値ＡＤＤ１００が、輪郭強調処理用輪郭強調値生成部５００へ入力される。
【００５３】
図５（ｃ）に、輪郭強調処理用輪郭強調値生成部５００の動作を示す。輪郭強調処理用輪郭強調値生成部５００は、ＡＤＤ１００＜−ＴのときはＡＤＤ１００の値を＋方向へシフトさせ、ＡＤＤ１００＞ＴのときはＡＤＤ１００の値を−方向へシフトさせる。これは−ＴおよびＴにおいて、ノイズ低減処理用輪郭強調値生成部６００から出力される輪郭強調値との間に不連続が生じないようにするためである。
【００５４】
次に、輪郭強調強度調整部１２のゲイン係数Ｇ１２およびノイズ低減強度調整部２２のゲイン係数Ｇ２２を変化させたときに出力される輪郭強調値の例を図６に示す。
【００５５】
図６（ａ）は、ノイズ低減を強化するためにノイズ低減強度調整部２２のゲイン係数Ｇ２２をＧ２２＞１とする一方、輪郭強調強度調整部１２のゲイン係数Ｇ１２をＧ１２＜１として輪郭強調効果を弱めたときの例である。
【００５６】
この場合、図６（ａ）に示すように、出力される輪郭強調値は、図５（ｃ）に比べて、−Ｔ≦ＡＤＤ１００≦Ｔの区間は、輪郭強調値の変化の傾きが大きくなり、ＡＤＤ１００＜−ＴあるいはＡＤＤ１００＞Ｔの区間は輪郭強調値の変化の傾きが小さくなる。
【００５７】
また、図６（ｂ）は、ノイズ低減処理のみを行うために、輪郭強調強度調整部１２のゲイン係数Ｇ１２をＧ１２＝０とした例である。この場合、ＡＤＤ１００＜−ＴあるいはＡＤＤ１００＞Ｔの区間は輪郭強調値の値が０となり、輪郭強調値を加算しても注目画素の画素値は変化しない。
【００５８】
このような本実施形態によれば、輪郭強調処理およびノイズ低減処理の実行／非実行を独立に切り替えることができるとともに、輪郭強調強度およびノイズ低減の強度も独立に切り替えることができる。これにより、例えば、輪郭強調は弱くてもよいがノイズ低減は強力に行いたいとか、ノイズ低減処理だけは行って輪郭強調処理は行わないようにしたい、などの多様な要求に柔軟に対応することができる。
【００５９】
（第３の実施形態）
動画像の注目画素に加算する輪郭強調値が図５（ａ）に示すような変化をする場合、輪郭強調値の時間軸上での微小な変化が、値０付近で発生すると、輪郭強調処理が実行されたりされなかったり、あるいはノイズ低減処理が実行されたりされなかったり、という動作が行われて、表示画像にチラツキが発生することがある。そこで、本実施形態では、このような表示画像のチラツキを防止することのできる画像処理回路の例を示す。
【００６０】
図７は、本発明の第３の実施形態に係る画像処理回路の構成の例を示す回路図である。本実施形態の画像処理回路は、第２の実施形態の回路に、注目画素Ｃ２への加算用に、輪郭強調処理用輪郭強調値生成部５００およびノイズ低減処理用輪郭強調値生成部６００により生成された加算用輪郭強調値の絶対値Ｂを算出する絶対値化回路３と、絶対値化回路３の出力値から予め定められた定数Ｋを減算する減算器４と、減算器４の出力値が負のときは加算用輪郭強調値の値を０に補正する輪郭強調値補正部５と、を追加したものである。
【００６１】
絶対値化回路３は、図８（ａ）に示すような特性の加算用輪郭強調値に対し、図８（ｂ）に示すような絶対値Ｂを算出する。
【００６２】
減算器４は、絶対値化回路３から出力される絶対値Ｂから定数Ｋを減算する。図８（ｃ）に、この減算結果（Ｂ−Ｋ）を示す。
【００６３】
輪郭強調値補正部５は、減算器４から出力される減算結果（Ｂ−Ｋ）が負のときは、図８（ａ）に示した加算用輪郭強調値の値を０に補正し、図８（ｄ）に示すような、補正済み輪郭強調値ＭＨを出力する。
【００６４】
本実施形態では、この補正済み輪郭強調値ＭＨが、加算器ＡＤＤ２により、注目画素の画素値Ｃ２に加算される。
【００６５】
このような本実施形態によれば、加算用輪郭強調値が０を横切る付近に、輪郭強調値を一定の幅０とする補正済み輪郭強調値ＭＨが生成されるので、時間軸上で加算用輪郭強調値が０付近で微小に変化しても、注目画素の画素値Ｃ２を、元の値のまま、保つことができる。そのため、動画像の画素値の時間軸上での変化が拡大せず、表示画像にチラツキが発生することを防止することができる。
【００６６】
以上説明した少なくとも１つの実施形態の画像処理回路によれば、輪郭強調処理やノイズ除去処理における画素値補正の自由度を高くすることができる。
【００６７】
また、本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００６８】
１、１１  輪郭強調実行制御部
２、１２  輪郭強調強度調整部
２１  ノイズ低減実行制御部
２２  ノイズ低減強度調整部
３  絶対値化回路
４  減算器
５  輪郭強調値補正部
ＳＷ１〜ＳＷ４、ＳＷ１１、ＳＷ２１  スイッチ
ＧＣ１〜ＧＣ４、ＧＣ１２、ＧＣ２２  ゲイン回路
【図１】
2012222713.tif 000003
【図２】
2012222713.tif 000004
【図３】
2012222713.tif 000005
【図４】
2012222713.tif 000006
【図５】
2012222713.tif 000007
【図６】
2012222713.tif 000008
【図７】
2012222713.tif 000009
【図８】
2012222713.tif 000010